(57)【要約】【課題】製造時や検査時に容易に動作確認が可能な可変入賞装置及び遊技機を提供すること。【解決手段】技球が入賞可能な入賞口と、遊技球が前記入賞口へ至る経路を開放する開放位置、及び前記経路を狭める閉塞位置の間を回動可能な開閉部材と、前記開閉部材の位置を、前記閉塞位置に固定する固定手段と、前記入賞口及び前記開閉部材よりも手前側に取り付けられたカバー部材と、を備える可変入賞装置であって、前記カバー部材は、前記開閉部材が前記閉塞位置にある状態において、遊技球の前記入賞口への入賞を許さない第１の位置と、前記開閉部材が前記閉塞位置にある状態において、遊技球の前記入賞口への入賞を許す第２の位置との間を移動可能であることを特徴とする可変入賞装置。【選択図】図６
2010178955.tif 000002
【特許請求の範囲】
【請求項１】
遊技球が入賞可能な入賞口と、
遊技球が前記入賞口へ至る経路を開放する開放位置、及び前記経路を狭める閉塞位置の間を回動可能な開閉部材と、
前記開閉部材の位置を、前記閉塞位置に固定する固定手段と、
前記入賞口及び前記開閉部材よりも手前側に取り付けられたカバー部材と、を備える可変入賞装置であって、
前記カバー部材は、前記開閉部材が前記閉塞位置にある状態において、遊技球の前記入賞口への入賞を許さない第１の位置と、前記開閉部材が前記閉塞位置にある状態において、遊技球の前記入賞口への入賞を許す第２の位置との間を移動可能であることを特徴とする可変入賞装置。
【請求項２】
前記カバー部材は、前記第１の位置と前記第２の位置との間を、スライド動作、又は、所定の回動軸を中心とする回動動作により移動することを特徴とする請求項１記載の可変入賞装置。
【請求項３】
遊技盤に請求項１又は２記載の可変入賞装置を備える遊技機。
【請求項４】
前記遊技盤を覆う透明部材を備え、
前記透明部材が前記遊技盤を覆っているとき、前記カバー部材の前記第１の位置から前記第２の位置へ移動が、前記透明部材への当接によって、制限されることを特徴とする請求項３記載の遊技機。
【発明の詳細な説明】
【技術分野】
【０００１】
本発明は、パチンコ遊技機等の遊技機に適用される可変入賞装置及び遊技機に関する。
【背景技術】
【０００２】
パチンコ遊技機等の遊技機では、一対の開閉部材を起立させた閉塞状態と、その開閉部材を左右に倒した開放状態とに可変する可変入賞装置（いわゆる電動式チューリップ）が使用されることが多い。閉塞状態にある場合は、開放状態にある場合に比べて、遊技球が前記入賞口へ至る経路は狭められ、入賞は困難になる。
【０００３】
この可変入賞装置に関しては、遊技機内に挿入した針金等で、本来は閉塞状態にあるはずの開閉部材を強制的に開放させ、遊技球を発射して、これに入賞させるという不正行為（いわゆるゴト行為）が問題となっていた。この対策として、閉塞状態にある開閉部材に対し、針金等で外部から力を加えても、開放できないようにする技術が提案されている（特許文献１、２参照）。
【先行技術文献】
【特許文献】
【０００４】
【特許文献１】特開２００３−３３４８９号公報
【特許文献２】特開２００７−６１３９０号公報
【発明の概要】
【発明が解決しようとする課題】
【０００５】
可変入賞装置に入賞した遊技球は、入賞感知スイッチで感知され、その感知があった場合は、所定個数の賞球を払い出す等の処理が行われる。遊技機の製造時や点検時において、上記の入賞感知スイッチの動作を検査するときは、可変入賞装置の入賞口に手で遊技球を投入し、その遊技球が正常に感知されるか否かを確認するという方法がとられる。
【０００６】
しかしながら、可変入賞装置は、通常、開放信号が入力されるまでは、閉塞状態にあり、また、上記のように、開閉部材を不正に開放できない構成を備えていると、手で開閉部材を開放することができず、遊技機の製造時や検査時に、可変入賞装置の入賞口に遊技球を投入することができない。
【０００７】
本発明は以上の点に鑑みなされたものであり、遊技機の製造時や検査時に容易に動作確認が可能な可変入賞装置及び遊技機を提供することを目的とする。
【課題を解決するための手段】
【０００８】
本発明の可変入賞装置は、
遊技球が入賞可能な入賞口と、遊技球が前記入賞口へ至る経路を開放する開放位置、及び前記経路を狭める閉塞位置の間を回動可能な開閉部材と、前記開閉部材の位置を、前記閉塞位置に固定する固定手段と、前記入賞口及び前記開閉部材よりも手前側に取り付けられたカバー部材と、を備える可変入賞装置であって、前記カバー部材は、前記開閉部材が前記閉塞位置にある状態において、遊技球の前記入賞口への入賞を許さない第１の位置と、前記開閉部材が前記閉塞位置にある状態において、遊技球の前記入賞口への入賞を許す第２の位置との間を移動可能であることを特徴とする。
【０００９】
本発明の可変入賞装置では、カバー部材を第２の位置に移動させることにより、開閉部材が閉塞位置にある場合でも、遊技球を入賞口に入賞させることができる。そのため、例えば、遊技機の製造時や検査時に、可変入賞装置や、可変入賞装置への入賞を感知する入賞感知スイッチの動作確認を容易に行うことができる。
【００１０】
前記カバー部材は、例えば、前記第１の位置と前記第２の位置との間を、スライド動作、又は、所定の回動軸を中心とする回動動作により移動するものとすることができる。前記カバー部材は、例えば、可変入賞装置の筐体（ケーシング）のうち、正面側の面とすることができる。
【００１１】
前記固定手段としては、例えば、前記特許文献１、特許文献２に記載された構成を用いることができる。すなわち、開閉部材を駆動する駆動手段（例えば電磁ソレノイド）により、開閉部材の動作と同期して、所定の固定部材を動作させる。開閉部材が閉塞位置にあるとき、固定部材は開閉部材と当接又は係合し、開閉部材は閉塞位置で固定される。一方、開閉部材が閉塞位置にないとき、固定部材は、開閉部材と干渉せず、開閉部材は固定されない。
【００１２】
前記開閉部材は、例えば、遊技機の制御基板から、開放信号が入力されたときのみ、開放位置にあり、それ以外のときは閉塞位置にあるものとすることができる。
【００１３】
前記閉塞位置とは、遊技球が入賞口へ至る経路を遊技球の直径より狭くし、入賞を不可能にする位置であってもよいし、遊技球が入賞口へ至る経路を遊技球の直径よりわずかに広くし、困難ではあるが入賞を許容する位置であってもよい。
【００１４】
本発明の可変入賞装置は、例えば、遊技機に適用することができる。その遊技機は、例えば、遊技盤を備え、その遊技盤に本発明の可変入賞装置を備えるものとすることができる。
【００１５】
また、上記の遊技機は、例えば、前記遊技盤を覆う透明部材を備え、前記透明部材が前記遊技盤の正面側を覆っているとき、前記カバー部材の前記第１の位置から前記第２の位置へ移動が、前記透明部材への当接によって、制限されるものとすることができる。こうすることにより、透明部材が遊技盤を覆っているとき（通常の遊技時）、カバー部材を不正に第１の位置から第２の位置へ移動させることができなくなる。一方、透明部材が遊技盤を覆わない状態では、カバー部材を第１の位置から第２の位置に移動させ、可変入賞装置の入賞口に遊技球を投入することができる。
【図面の簡単な説明】
【００１６】
【図１】遊技機１の正面図である。
【図２】（ａ）は閉塞状態にある場合の電動チューリップ１９の正面図であり、（ｂ）は開放状態にある場合の電動チューリップ１９の正面図である。
【図３】図２（ｂ）におけるＡ−Ａ断面での電動チューリップ１９の断面図である。
【図４】電動チューリップ１９の背面図である。
【図５】遊技機１の裏面における電動チューリップ１９の配置を示す図である。
【図６】（ａ）は第１の前カバー５３が最上位置にある場合の電動チューリップ１９の正面図及び断面図であり、（ｂ）は第１の前カバー５３が最下位置にある場合の電動チューリップ１９の正面図及び断面図である。
【図７】（ａ）は扉部９３が起立位置にある場合の電動チューリップ１９の正面図及び断面図であり、（ｂ）は扉部９３が倒伏位置にある場合の電動チューリップ１９の正面図及び断面図である。
【発明を実施するための形態】
【００１７】
本発明の実施形態を図面に基づいて説明する。
１．第１の実施形態
（１）遊技機の構成
可変入賞装置を適用する遊技機１の全体構成を図１に基づいて説明する。遊技機１は、図示しない遊技場に来場した遊技者にパチンコ遊技を提供するものであって、図示しない遊技島に取り付けられる外枠３と、外枠３に開閉可能に取り付けられた内枠５と、内枠５に取り付けられ、遊技者に対面して配置された遊技盤７と、遊技者が遊技行為を行うために遊技盤７上に遊技球８を発射するためのハンドル９と、遊技盤７における遊技行為の結果として提供される賞品、ここでは遊技球８（賞品として払い出される遊技球８を賞品球と言う。）を貯留する上受け皿１１と、上受け皿１１から排出される遊技球８を受ける下受け皿１３を備えている。
【００１８】
遊技者に対面する遊技盤７は、遊技者から見える位置に、遊技者に興趣のある図柄を提供する図柄表示装置２１と、電動チューリップ（可変入賞装置）１９とを備える。電動チューリップ１９は、第１の始動口（入賞口）１７と、第２の始動口１８とを備えている。電動チューリップ１９は、高確率状態又は時短のときは開放状態となり、第１の始動口１７へ遊技球８が入り易い状態となる。なお、電動チューリップ１９の詳細な構成は後述する。
【００１９】
また、遊技盤７は、大入賞口２５を備え、大入賞口２５を開放することにより大量の賞品球を提供する機能を有する特別電動役物２４と、特別図柄遊技の結果を表示する第１特別図柄表示装置３１及び第２特別図柄表示装置３２と、第１特別図柄遊技の保留数を表示する第１特別図柄記憶表示装置３３及び第２特別図柄遊技の保留数を表示する第２特別図柄記憶表示装置３４と、遊技球８が通過すると、普通図柄遊技用の普通図柄始動信号を出力する機能を有する普通図柄始動ゲート３５と、普通図柄遊技の結果を表示する普通図柄表示装置３７と、普通図柄遊技の保留数を表示する普通図柄記憶表示装置３９とを備えている。上述した第１特別図柄記憶表示装置３３、第２特別図柄記憶表示装置３４、及び普通図柄記憶表示装置３９は、それぞれ、４個のランプを備え、その４個のランプのうち、保留数に対応する数のランプだけが点灯するように構成されている。また、遊技盤７には、変動時間短縮機能（以降、時短と称す）が作動中（即ち、時短）かを表示する時短表示ＬＥＤ４２が設置されている。
【００２０】
また、遊技機１は、遊技機１の上記各構成を制御し、後述する処理を実行する主制御基板４１及び図柄制御基板４３を備えている。
【００２１】
また、遊技盤７の正面側は、ガラス扉４４で覆われている。そのガラス扉４４は、遊技盤７の左端において、図示しない蝶番を介して開閉可能に取り付けられている。
（２）電動チューリップ１９の構成
電動チューリップ１９の構成を、図２〜図５に基づいて説明する。なお、図２は電動チューリップ１９の正面図であって、（ａ）は閉塞状態、（ｂ）は開放状態を表す。また、図３は電動チューリップ１９のＡ−Ａ断面における側断面図であり、図４は電動チューリップ１９の背面図であり、図５は遊技機１の裏面における電動チューリップ１９の配置を示す図である。
【００２２】
電動チューリップ１９は、ケーシング４５、一対の開閉部材４７、及び駆動部４９を備える。上記ケーシング４５は、遊技盤７に固定される台板５１を備えており、その台板５１に、第１の始動口１７及び第２の始動口１８が形成されている（あわせて図１参照）。
【００２３】
また、ケーシング４５は、球樋５７を備えている。この球樋５７は、台板５１から正面側に突出するとともに、台板５１よりも奥側にまで至っている。そして、球樋５７の正面側には、第１の前カバー（カバー部材）５３が取り付けられている。第１の前カバー５３と台板５１との間に入った遊技球８は、球樋５７に案内され、第１の始動口１７に入賞し、電動チューリップ１９の奥側に設けられた排出口５９から排出される。排出口５９の下流には、入賞感知センサ６０が取り付けられており、そこを通過する遊技球８を検出し、その検出信号を主制御基板４１（図１参照）に送信する。なお、検出信号を受信した主制御基板４１は、払出制御基板（図示略）に払出制御信号を出力し、払出制御信号を受信した払出制御基板は賞球払出装置（図示略）を作動させ、所定個数の遊技球８を上受け皿１１（図１参照）に払い出す。
【００２４】
第１の前カバー５３は、上下方向にスライド可能に、球樋５７に対して取り付けられている。すなわち、第１の前カバー５３の背面側には、断面形状が一定であって、上下方向に連続する凸部（図示略）が形成されており、球樋５７の正面側には、上下方向に伸びる溝（図示略）が形成されている。上述した凸部を、上述した溝にはめ込むことにより、第１の前カバー５３は、上下方向にスライド可能に、球樋５７に取り付けられる。
【００２５】
また、第１の前カバー５３には、上下方向が長軸である楕円形の孔５３ａが一対形成されており、球樋５７の正面側には、断面が真円形である円柱状の突起５７ａが一対形成されている。第１の前カバー５３を球樋５７の正面側に取り付けたとき、突起５７ａは、孔５３ａを貫通する。孔５３ａの上下方向における長さは、突起５７ａの直径よりも大きい。第１の前カバー５３は、突起５７ａが孔５３ａの下端に当接する位置（第１の位置に該当し、以下、最上位置とする）と、突起５７ａが孔５３ａの上端に当接する位置（第２の位置に該当し、以下、最下位置とする）との間で上下方向にスライド可能である。
【００２６】
また、ケーシング４５は、第１の前カバー５３よりも上方において、台板５１よりも正面側に張り出した第２の前カバー６１を備えている。そして、第２の前カバー６１の背面側から、台板５１における第２の始動口１８の下側を通り、台板５１の背面側にまで至る球樋６３が形成されている。球樋６３のうち、台板５１よりも正面側の部分に乗った遊技球８は、球樋６３に案内され、第２の始動口１８に入賞し、電動チューリップ１９の奥側に運ばれる。球樋６３の最奥部は、図示しない集合樋に接続しており、球樋６３で奥に運ばれた遊技球８は、その集合樋に排出される。集合樋には、入賞感知センサ６４が取り付けられており、そこを通過する遊技球８を検出し、その検出信号を主制御基板４１（図１参照）に送信する。なお、検出信号を受信した主制御基板４１は、払出制御基板（図示略）に払出制御信号を出力し、払出制御信号を受信した払出制御基板は賞球払出装置（図示略）を作動させ、所定個数の遊技球８を上受け皿１１（図１参照）に払い出す。
【００２７】
上記開閉部材４７は略扇形形状を有する部材であって、その基端部（鋭角に形成された先端部６５とは反対側の端部）付近において突出する回動軸６７により、台板５１に対し、回動可能に取り付けられている。開閉部材４７は、図２（ａ）に示すように、起立した位置（以下、閉塞位置とする）と、図２（ｂ）に示すように、外側に傾倒した位置（以下、開放位置とする）との間で回動可能である。また、開閉部材４７は、回動軸６７よりもさらに基端部側において、背面方向に突出する突出部６９を備えている。
【００２８】
上記駆動部４９は、電動ソレノイド７１と、クランク７３とから構成される。電動ソレノイド７１は、周知の構造を有するものであって、通電されていないときは、スプリング７５の作用によりプランジャ７７を正面方向に突き出し、通電されているときは、プランジャ７７を背面側に引き込む。クランク７３は、回動軸７９を介して、ケーシング４５に対し回動可能に取り付けられている。クランク７３は、プランジャ７７の先端部に形成された突起を両側から挟み込む一対の腕部８１、８３を備えており、プランジャ７７が正面方向に突き出されるときは、図３におけるＸ方向に回転し、プランジャ７７が背面方向に引き込まれるときは、図３におけるＹ方向に回転する。
【００２９】
また、クランク７３は、一対の開閉部材４７のそれぞれに対応して、一対の保持部８５、８６を備えている。一対の保持部８５、８６は、開閉部材４７の突出部６９を両側から挟み込むように保持する。よって、プランジャ７７が正面方向に突き出され、クランク７３がＸ方向に回転すると、保持部８５、８６によって突出部６９が押し下げられて開閉部材４７が閉塞位置に回動する。一方、プランジャ７７が背面方向に引き込まれ、クランク７３がＹ方向に回転すると、保持部８５、８６によって突出部６９が押し上げられて開閉部材４７が開放位置に回動する。
【００３０】
また、クランク７３は、一対の開閉部材４７のそれぞれに対応して、一対の固定棒（固定手段）８７を備えている。固定棒８７は、クランク７３がＸ方向に回転したとき、正面方向に突出する。このとき、上述したように、開閉部材４７は閉塞位置に移動する。開閉部材４７は、背面側に孔（図示略）を備えており、その孔は、開閉部材４７が閉塞位置にあるとき、上記のように突き出された固定棒８７が差し込まれる位置に形成されている。よって、開閉部材４７は、閉塞位置にあるとき、それに形成された孔に固定棒８７を差し込まれることで、位置を固定される。そのため、閉塞位置にある開閉部材４７に対し、針金等で外側から力を加えても、開閉部材４７を動かすことはできない。一方、クランク７３がＹ方向に回動すると、固定棒８７は背面側に引き込まれ、開閉部材４７の孔から抜けるため、開閉部材４７の固定は解除される。
（３）電動チューリップ１９の作用効果
電動チューリップ１９の動作を図２及び図６に基づいて説明する。
（３−１）通常の遊技時
通常の遊技時、図６（ａ）に示すように、第１の前カバー５３は、最上位置にある。また、ガラス扉４４は閉じられ、遊技盤７（電動チューリップ１９を含む）の正面側を覆っている。
【００３１】
電動ソレノイド７１に通電されていないとき（主制御基板４１から開放信号が入力されていないとき）、図６（ａ）に示すように、一対の開閉部材４７は、それぞれ、閉塞位置にある（この状態を、以下では、閉塞状態とする）。
【００３２】
このとき、第１の始動口１７への経路は、閉塞位置にある一対の開閉部材４７により左右から挟まれるとともに、最上位置にある第１の前カバー５３と第２の前カバー６１とによって、上下から挟まれた経路である。しかしながら、図６（ａ）に示すように、最上位置にある第１の前カバー５３と第２の前カバー６１との間隔は遊技球８の直径より小さいため、この経路から遊技球８を第１の始動口１７へ入賞させることはできない。また、ガラス扉４４は閉じられているため、遊技者が第１の前カバー５３を下方にスライドさせることはできない。また、上述したように、開閉部材４７は閉塞位置において固定されているので、針金などにより不正に動かすことはできない。
【００３３】
一方、電動ソレノイド７１に通電されているとき（主制御基板４１から開放信号が入力されているとき）、図２（ｂ）に示すように、一対の開閉部材４７は、それぞれ、開放位置にある（この状態を、以下では、開放状態とする）。
【００３４】
このとき、第１の始動口１７への経路は、広く開いた開閉部材４７の間であって、第２の前カバー６１よりも右側、又は左側から、第１の始動口１７へ入賞することができる。なお、この場合も、ガラス扉４４は閉じられているため、遊技者が第１の前カバー５３を下方にスライドさせることはできない。
（３−２）製造時又は点検時
ガラス扉４４を開き、図６（ｂ）に示すように、第１の前カバー５３を最下位置にスライドさせることができる。遊技機１の製造時又は点検時には、電動ソレノイド７１に通電されていないので、一対の開閉部材４７は、それぞれ、閉塞位置にある。このとき、第１の始動口１７への経路は、閉塞位置にある一対の開閉部材４７で左右から挟まれるとともに、最下位置にある第１の前カバー５３と第２の前カバー６１とによって、上下から挟まれた経路である。図６（ｂ）に示すように、最下位置にある第１の前カバー５３と第２の前カバー６１との間隔は遊技球８の直径より大きいため、この経路から遊技球８を第１の始動口１７へ投入し、入賞感知センサ６０が正常に動作するかを容易に確認することができる。
２．第２の実施形態
（１）電動チューリップ１９の構成
本第２の実施形態における遊技機１及び電動チューリップ１９の構成は、基本的には前記第１の実施形態と同様であるが、第１の前カバー５３の構成において相違する。以下では、図７に基づき、その相違点を中心に説明し、前記第１の実施形態と同様の部分は記載を省略乃至簡略化する。
【００３５】
第１の前カバー５３は、その中央上端付近に、コの字型の切り欠き部８９が形成されている。そして、切り欠き部８９の底辺８９ａに取り付けられたヒンジ９１を介して、扉部（カバー部材）９３が回動可能に取り付けられている。扉部９３の幅は、図７（ａ）に示すように、閉塞位置にある一対の開閉部材４７の間隔と略同一である。扉部９３は図７（ａ）に示すように、起立して、第１の前カバー５３と面一である位置（第１の位置に該当し、以下、起立位置とする）と、図７（ｂ）に示すように、正面側に引き倒された位置（第２の位置に該当し、以下、倒伏位置とする）との間で回動可能である。
（２）電動チューリップ１９の作用効果
（２−１）通常の遊技時
通常の遊技時、図７（ａ）に示すように、扉部９３は起立位置にある。また、ガラス扉４４は閉じられ、遊技盤７（電動チューリップ１９を含む）の正面側を覆っている。
【００３６】
電動ソレノイド７１に通電されていないとき、図７（ａ）に示すように、一対の開閉部材４７は、それぞれ、閉塞位置にある（電動チューリップ１９は閉塞状態にある）。
【００３７】
このとき、第１の始動口１７への経路は、閉塞位置にある一対の開閉部材４７で左右から挟まれるとともに、起立位置にある扉部９３と第２の前カバー６１とによって、上下から挟まれた経路である。しかしながら、図７（ａ）に示すように、起立位置にある扉部９３と第２の前カバー６１との間隔は遊技球８の直径より小さいため、この経路から遊技球８を第１の始動口１７へ入賞させることはできない。また、ガラス扉４４が閉じられているとき、扉部９３は、ガラス扉４４にぶつかるため、倒伏位置に移動させることができない。よって、扉部９３を不正に動かす行為を防止することができる。また、上述したように、開閉部材４７は閉塞位置において固定されているので、針金などにより不正に動かすことはできない。
【００３８】
一方、電動ソレノイド７１に通電されているとき、図２（ｂ）に示すように、一対の開閉部材４７は、それぞれ、開放位置にある（電動チューリップ１９は開放状態にある）。
【００３９】
このとき、第１の始動口１７への経路は、広く開いた開閉部材４７の間であって、第２の前カバー６１よりも右側、又は左側から、第１の始動口１７へ入賞することができる。なお、この場合も、ガラス扉４４は閉じられているため、遊技者が扉部９３を不正に倒伏位置へ移動させることはできない。
（２−２）製造時又は点検時
ガラス扉４４を開き、図７（ｂ）に示すように、扉部９３を倒伏位置に移動させることができる。遊技機１の製造時又は点検時には、電動ソレノイド７１に通電されていないので、一対の開閉部材４７は、それぞれ、閉塞位置にある。このとき、第１の始動口１７への経路は、閉塞位置にある一対の開閉部材４７で左右から挟まれるとともに、倒伏位置にある扉部９３と第２の前カバー６１とによって、上下から挟まれた経路である。図７（ｂ）に示すように、倒伏位置にある扉部９３と第２の前カバー６１との間隔は遊技球８の直径より大きいため、この経路から遊技球８を第１の始動口１７へ投入し、入賞感知センサ６０が正常に動作するかを容易に確認することができる。
【００４０】
尚、本発明は前記実施の形態になんら限定されるものではなく、本発明を逸脱しない範囲において種々の態様で実施しうることはいうまでもない。
【００４１】
例えば、前記第１の実施形態において、第１の前カバー５３の全体ではなく、その一部（例えば、第１の前カバー５３の上方の部分）のみが上下にスライドするようにしてもよい。
【００４２】
また、前記第２の実施形態において、扉部９３は、背面側に倒れるようにしてもよい。また、扉部９３は、第１の前カバー５３から取り外せるようにしてもよい。
【符号の説明】
【００４３】
１・・・遊技機、３・・・外枠、５・・・内枠、７・・・遊技盤、８・・・遊技球、
９・・・ハンドル、１１・・・上受け皿、１３・・・下受け皿、
１７・・・第１の始動口、１８・・・第２の始動口、１９・・・電動チューリップ、
２４・・・特別電動役物、２５・・・大入賞口、３１・・・第１特別図柄表示装置、
３２・・・第２特別図柄表示装置、３３・・・第１特別図柄記憶表示装置、
３４・・・第２特別図柄記憶表示装置、３５・・・普通図柄始動ゲート、
３７・・・普通図柄表示装置、３９・・・普通図柄記憶表示装置、
４１・・・主制御基板、４３・・・図柄制御基板、４４・・・ガラス扉、
４５・・・ケーシング、４７・・・開閉部材、４９・・・駆動部、
５１・・・台板、５３・・・第１の前カバー、５３ａ・・・孔、５７・・・球樋、
５７ａ・・・突起、５９・・・排出口、６０、６４・・・入賞感知センサ、
６１・・・第２の前カバー、６３・・・球樋、６５・・・先端部、６７・・・回動軸、
６９・・・突出部、７１・・・電動ソレノイド、７３・・・クランク、
７５・・・スプリング、７７・・・プランジャ、７９・・・回動軸、
８１、８３・・・腕部、８５、８６・・・保持部、８７・・・固定棒、
８９・・・切り欠き部、８９ａ・・・底辺、９１・・・ヒンジ、９３・・・扉部
【図１】
2010178955.tif 000003
【図２】
2010178955.tif 000004
【図３】
2010178955.tif 000005
【図４】
2010178955.tif 000006
【図５】
2010178955.tif 000007
【図６】
2010178955.tif 000008
【図７】
2010178955.tif 000009